(57)【要約】      （修正有）【課題】良好な出玉と活気に溢れる店であるアピールができ、座席付近に支障なく置くことができ、カウンターまで障害物に接触することなく玉箱を運搬することができ、さらには安価で扱い易い遊戯用台車を提供する。【解決手段】玉箱２或いは玉箱に近似する形状の収納容器の下面に、移動手段として複数の車輪或いは玉又はキャスタが固定されて成る遊戯用台車とする。【選択図】図４
0003136935.tif 000002
【実用新案登録請求の範囲】
【請求項１】
パチンコ玉を運ぶのに用いる遊戯用台車において、玉箱の下面に、移動手段として複数の車輪或いは玉又はキャスタが固定されて成ることを特徴とする遊戯用台車。
【請求項２】
パチンコ玉を運ぶのに用いる遊戯用台車において、玉箱に近似する形状の収納容器の下面に、移動手段として複数の車輪或いは玉又はキャスタが固定されて成ることを特徴とする遊戯用台車。
【請求項３】
遊戯用台車の開口部に玉箱を積載保持する受板が設置されることを特徴とする請求項１或いは２に記載の遊戯用台車。
【考案の詳細な説明】
【技術分野】
【０００１】
本考案は、パチンコ玉を収納する玉箱を運搬する遊戯用台車に関する。
【背景技術】
【０００２】
従来、入賞によりパチンコ台から放出される出玉はパチンコ台に設けられた玉受けに収納されるが、出玉が多くなり玉受けに収納できなくなれば、別途用意されている玉箱を取り寄せ収納する。さらに、出玉が多く玉箱にも収納できなくなれば新たに玉箱を取り寄せ収納する。大量の出玉の際は多数の玉箱に収納されることとなる。これら出玉を収納した玉箱は座席付近のフロアーに置かれる。
【０００３】
パチンコ店においては良好な出玉と活気に溢れている様をアピールすることが、大量の出玉が期待できる良い店との客の認識となるので、最重要の営業施策である。よって、フロアーに置かれる複数の玉箱は、視覚的に目立たせ出玉が好調である印象を与えるために、一箱ずつ並列に低く置くことはされず積み重ねて高く置かれる。
【０００４】
玉箱は、遊戯終了後、店員或いは遊戯者によってカウンターまで運ばれ収納されている玉数が計測されるが、玉箱は１０ｋｇ程にもなり重いので特に力の無い女性にとっては持ち運ぶことが辛く、１箱は持ち運べても複数になると玉箱を落とすなどのリスクや一度では持ち運べない等の理由により、玉箱は遊戯用台車に載せてカウンターまで運搬される。遊戯用台車は積載台の下面に移動手段として複数のキャスタが固定されたもので、積載台は多種多様な玉箱が載り収まるように大型の玉箱よりひと回り以上も大きい略長方形に形成される。遊戯用台車は、遊戯終了後に取り寄せ用いることは少なく、複数の玉箱を座席付近に置く時点で店員が取り寄せ可能な限り座席近くに置き玉箱を積載していく。その理由は、遊戯用台車に玉箱を載せると玉箱の位置がフロアーから高くなり視覚的に目立ち、良好な出玉と活気がある景気の良い様をアピールする前述の最重要の営業施策になるためである。
【特許文献１】特開２００５−３２３７９２号公報
【考案の開示】
【考案が解決しようとする課題】
【０００５】
従来、遊戯用台車は大型の玉箱よりひと回り以上大きいので座席付近に置けない場合がある。特に座席間及び島間が狭いパチンコホールにおいてはスペースが無く困難である。少なくとも、左右後ろと隣接した座席が全て遊戯用台車を置くことは不可である。
【０００６】
また、玉箱を遊戯用台車に載せカウンターまで運搬する際、島間の通路は狭い上に別の遊戯用台車や遊戯者の荷物も置かれるなど障害物が多く、これら障害物に接触しないように運ぶことは困難で、障害物を移動させて細心の注意を払うなど、体力・精神力共に多大な消耗を要するなど問題がある。
【０００７】
よって本考案は、最重要の営業施策である良好な出玉と活気に溢れる店であるアピールができ、座席付近に支障なく置くことができ、カウンターまで障害物に接触することなく玉箱を運搬することができ、さらには安価で扱い易い遊戯用台車を提供することを目的とする。
【課題を解決するための手段】
【０００８】
本考案の遊戯用台車は、良好な出玉等をアピールでき、最大のコンパクト化を得るために、遊戯用台車形状を玉箱に近似する形状とする。
【０００９】
具体的な１手段として、玉箱の下面に、移動手段として複数の車輪或いは玉又はキャスタが固定されて成る遊戯用台車とする。
【００１０】
或いは別手段として、玉箱に近似する形状の収納容器の下面に、移動手段として複数の車輪或いは玉又はキャスタが固定されて成る遊戯用台車とする。
【００１１】
さらに好ましくは、遊戯用台車に積載される玉箱が遊戯用台車に沈み込み過ぎず、あたかも大量の出玉が収納された玉箱の上に玉箱が積載されているイメージになるように、遊戯用台車の開口部に玉箱を積載保持する受板を設けるのが良い。
【考案の効果】
【００１２】
本考案の請求項１の遊戯用台車によれば、玉箱の下面に移動手段が設置されただけの、玉箱とほぼ同一形状の遊戯用台車形状によって、遊戯用台車に玉箱を積載すれば、客は玉箱の上に玉箱を積載していると思い、結果、１箱多い良好な出玉をイメージさせ活気ある店をアピールできる。また、遊戯用台車の巾と長さが玉箱とほぼ同じサイズとなるコンパクト性から、遊戯用台車を座席付近に置くことができ玉箱が積載される。と同時に、彼方此方の座席付近に置かれることで前述のとおり、非常に好調な出玉と活気あるイメージが創られ、大量の出玉が期待できる良い店との認識となり、最大の営業施策が得られる。さらに、カウンターまで障害物に接触することなく玉箱を運搬することができる。また、最少の部品点数より成るので品質・管理・生産性を良好なものにし安価に供給できる。
【００１３】
請求項２の遊戯用台車によれば、玉箱に近似する形状で玉箱を積載できる収納容器の下面に移動手段が設置されただけの、玉箱と近似する形状の遊戯用台車形状によって、上記と同等の効果を得る。
【００１４】
さらに請求項４の遊戯用台車によれば、玉箱が遊戯用台車の開口部から僅かに嵌りこんで積載されるので、あたかも出玉が満々に収納された玉箱の上に玉箱が積載されているイメージとなり最良な出玉で活気ある店をアピールできる。また、玉箱が水平に安定し積載されるので運搬時の扱い易さが向上する。
【考案を実施するための最良の形態】
【００１５】
以下に本考案の実施例を図面に基づいて説明する。図１は本考案実施例１の遊戯用台車の斜視参考図。図２は遊戯用台車の正面図。図３は遊戯用台車の背面図。図４は遊戯用台車の背面中央横断面参考図。図５は遊戯用台車に玉箱を積載した断面参考図で図４に対応するもの。図６は従来の遊戯用台車との比較図で同数の玉箱を積み上げた遊戯用台車。図７は受板を設置した遊戯用台車の斜視参考図である。図８は受板を設置した遊戯用台車の断面参考図で図４に対応するもの。図９は同様に受板を設置した遊戯用台車に玉箱を積載した断面参考図。図１０は玉箱に近似する収納容器下面に回転玉を設置した実施例２の遊戯用台車の斜視参考図である。
【００１６】
図１から４において説明すれば、遊戯用台車１は玉箱２の下面に移動手段３が設置されて成る。移動手段３は種々考えられるが、市販のキャスタは車輪や玉を用いた多種多様なものが安価に販売されているので妥当である。選定したキャスタ４個を固定手段４で玉箱２に固定する。固定手段４は超音波溶着や接着剤或いは両面テープなど種々あり用いることができるが、玉箱に取り付け穴を開けてボルトナットで固定する汎用的な手法で支障ない。４個のキャスタのうち、前後いずれかの１組（２個）を車軸が曲がらない固定式、残りの１組を車軸が曲がる回転式にすれば、直進性と回転性が両立でき狭い通路で的確に移動することができるので好ましい。
【００１７】
玉箱２は木製など種々の素材で製作できるが、従来、熱可塑性樹脂を用い射出成形することが意匠やコスト的に好ましく、特に透光性が良好で剛性を有し好まれ普及しているＰＣなど用いれば良い。
【００１８】
図５において説明すれば、遊戯用台車１に玉箱２を積載したものであり、玉箱２が遊戯用台車に良好に嵌合積載されるので数多くの玉箱２の積載にも安定である。図６からは、３個の玉箱２を積載した比較図であり、右側が本件考案の遊戯用台車１を用いたもので、左側が従来の遊戯用台車を用いたものである。本件考案の遊戯用台車１は遊戯用台車１が玉箱２に見えるので玉箱２が４個積載されているように見え、明らかに従来の遊戯用台車１より１箱多い良好な出玉をイメージさせ活気ある店をアピールしている。また、本件考案の遊戯用台車１は従来品より一回り以上も小さいので、狭い通路で障害物に当たらず玉箱２を運搬する能力の高さは明確である。
【００１９】
図７から９において説明すれば、玉箱２の開口部５に受板６を設置したもので、遊戯用台車１に玉箱２が沈み込むことなく積載される。即ち、受板６は、出玉が満々に収納されている玉箱２に見えるように遊戯用台車１の開口部に玉箱２が積載されるように設計すれば良い。受板６は種々の素材で形成できるが、アピールする必要は無いので、玉箱２と同じ素材で射出成形で形成すれば目立たず良い。さらに、受板６を玉箱２に積載し同様に積み重ねていくこともできる。
【００２０】
図１０について説明すれば、玉箱に近似する形状の収納容器７を用いた実施例２の遊戯用台車である。玉箱２との形状的相違点は、先ず、積載する玉箱の下面周状リブと勘合する溝を収納部壁面に設けた点で、玉箱が大きく沈み込むことなく良好に保持積載される。次に、把持部下に設置されていたリブを除去した点である。このように、玉箱２と同一形状でなくとも、来店客が玉箱２と思える近似形状であれば形状の相違は支障は無い。なお、移動手段として該収納容器の下面に回転玉を圧入設置している。
【図面の簡単な説明】
【００２１】
【図１】本考案の実施例１の遊戯用台車の斜視参考図。
【図２】遊戯用台車の正面図。
【図３】遊戯用台車の背面図。
【図４】背面中央横断面参考図。
【図５】遊戯用台車に玉箱を積載した断面参考図。
【図６】従来の遊戯用台車との比較図。
【図７】受板を設置した遊戯用台車の斜視参考図。
【図８】受板を設置した遊戯用台車の断面参考図。
【図９】受板を設置した遊戯用台車に玉箱を積載した断面参考図。
【図１０】実施例２の遊戯用台車の斜視参考図。
【符号の説明】
【００２２】
１    遊戯用台車
２    玉箱玉箱に近似する形状の収納容器
３    移動手段
４    固定手段
５    開口部
６    受板
７    玉箱に近似する形状の収納容器
【図１】
0003136935.tif 000003
【図２】
0003136935.tif 000004
【図３】
0003136935.tif 000005
【図４】
0003136935.tif 000006
【図５】
0003136935.tif 000007
【図６】
0003136935.tif 000008
【図７】
0003136935.tif 000009
【図８】
0003136935.tif 000010
【図９】
0003136935.tif 000011
【図１０】
0003136935.tif 000012
【手続補正書】
【提出日】平成19年9月3日(2007.9.3)
【手続補正１】
【補正対象書類名】明細書
【補正対象項目名】００１４
【補正方法】変更
【補正の内容】
【００１４】
さらに請求項３の遊戯用台車によれば、玉箱が遊戯用台車の開口部から僅かに嵌りこんで積載されるので、あたかも出玉が満々に収納された玉箱の上に玉箱が積載されているイメージとなり最良な出玉で活気ある店をアピールできる。また、玉箱が水平に安定し積載されるので運搬時の扱い易さが向上する。
【手続補正２】
【補正対象書類名】明細書
【補正対象項目名】００１８
【補正方法】変更
【補正の内容】
【００１８】
図５において説明すれば、遊戯用台車１に玉箱２を積載したものであり、玉箱２が遊戯用台車１に良好に嵌合積載されるので数多くの玉箱２の積載にも安定である。図６からは、３個の玉箱２を積載した比較図であり、右側が本件考案の遊戯用台車１を用いたもので、左側が従来の遊戯用台車を用いたものである。本件考案の遊戯用台車１は遊戯用台車１が玉箱２に見えるので玉箱２が４個積載されているように見え、明らかに従来の遊戯用台車より１箱多い良好な出玉をイメージさせ活気ある店をアピールしている。また、本件考案の遊戯用台車１は従来品より一回り以上も小さいので、狭い通路で障害物に当たらず玉箱２を運搬する能力の高さは明確である。
【手続補正３】
【補正対象書類名】明細書
【補正対象項目名】００２０
【補正方法】変更
【補正の内容】
【００２０】
図１０について説明すれば、玉箱に近似する形状の収納容器７を用いた実施例２の遊戯用台車１である。玉箱２との形状的相違点は、先ず、積載する玉箱２の下面周状リブと勘合する溝を収納部壁面に設けた点で、玉箱２が大きく沈み込むことなく良好に保持積載される。次に、把持部下に設置されていたリブを除去した点である。このように、玉箱２と同一形状でなくとも、来店客が玉箱２と思える近似形状であれば形状の相違は支障無い。なお、移動手段３として該収納容器の下面に回転玉を圧入設置している。